(57)【要約】【課題】製造工程を簡略化できる光学装置、プロジェクター及び製造方法を提供すること。【解決手段】光学装置は、光学素子と、光学素子を保持する保持部材と、保持部材が取り付けられる筐体と、を有し、保持部材は、当該保持部材の位置を調整する操作を受け付ける操作部と、筐体に固定される被固定部と、を有し、操作部及び被固定部は、保持部材に保持された光学素子の光軸に交差する方向における一端側及び他端側にそれぞれ位置する。【選択図】図６
2018151461.tif 000002
【特許請求の範囲】
【請求項１】
光学素子と、
前記光学素子を保持する保持部材と、
前記保持部材が取り付けられる筐体と、を有し、
前記保持部材は、
当該保持部材の位置を調整する操作を受け付ける操作部と、
前記筐体に固定される被固定部と、を有し、
前記操作部及び前記被固定部は、前記保持部材に保持された前記光学素子の光軸に交差する方向における一端側及び他端側にそれぞれ位置することを特徴とする光学装置。
【請求項２】
請求項１に記載の光学装置において、
前記被固定部は、孔部を有し、
前記筐体は、前記孔部を挿通する突出部を有し、
前記突出部は、溶融可能な材料により形成されていることを特徴とする光学装置。
【請求項３】
請求項２に記載の光学装置において、
前記孔部の内縁は、凹凸を有することを特徴とする光学装置。
【請求項４】
請求項２又は請求項３に記載の光学装置において、
前記筐体は、前記保持部材を挿通する固定部材が固定される固定部を有することを特徴とする光学装置。
【請求項５】
請求項１から請求項４のいずれか一項に記載の光学装置において、
前記保持部材は、
前記光学素子を支持する支持面を有する素子支持部と、
前記素子支持部における前記他端側にて、前記支持面に交差する方向に延出する延出部と、を有し、
前記素子支持部は、前記一端側に前記操作部を有し、
前記延出部は、前記被固定部を有することを特徴とする光学装置。
【請求項６】
請求項１から請求項５のいずれか一項に記載の光学装置において、
前記筐体は、
前記光学素子の光軸を中心とする周方向に回動可能に前記保持部材を支持する保持部材支持部と、
前記保持部材支持部から突出する突起を有し、
前記保持部材は、前記周方向に沿う長径を有し、前記突起が挿入されるガイド孔を有することを特徴とする光学装置。
【請求項７】
請求項１から請求項６のいずれか一項に記載の光学装置を備えることを特徴とするプロジェクター。
【請求項８】
請求項７に記載のプロジェクターにおいて、
光源装置と、
前記光源装置から出射された光を変調する光変調装置と、
前記光源装置と前記光変調装置との間に配置される光学部品と、を備え、
前記筐体は、前記光学部品を収容し、
前記光学素子は、前記光変調装置の光入射側に配置される偏光素子であることを特徴とするプロジェクター。
【請求項９】
光学素子と、当該光学素子を保持する保持部材と、当該保持部材が取り付けられる筐体とを有する光学装置の製造方法であって、
前記筐体に前記保持部材を配置し、
前記保持部材において前記光学素子の光軸に対する交差方向の一端側に位置する操作部を操作して、前記光学素子の位置を調整し、
前記筐体に設けられて前記保持部材を挿通する突出部を溶融させて、前記保持部材を前記筐体に固定することを特徴とする製造方法。
【発明の詳細な説明】
【技術分野】
【０００１】
本発明は、光学装置、プロジェクター及び製造方法に関する。
【背景技術】
【０００２】
従来、光源装置と、当該光源装置から出射された光を変調して画像情報に応じた画像を形成する光変調装置と、形成された画像をスクリーン等の被投射面上に拡大投射するプロジェクターが知られている。このようなプロジェクターとして、光変調装置としての液晶パネルに対する光入射側に位置する偏光板と、当該偏光板の位置を調整する位置調整機構と、を更に有するプロジェクターが知られている（例えば、特許文献１参照）。
【０００３】
この特許文献１に記載のプロジェクターでは、位置調整機構は、偏光板を保持する保持枠と、プロジェクターを構成する光学部品を収容する光学部品用筐体の蓋状部材に設けられた姿勢調整部と、保持枠を姿勢調整部に固定する固定部と、を備えて構成されている。これらのうち、姿勢調整部は、保持枠を姿勢調整可能に支持する。
このプロジェクターの製造時には、入射側偏光板を保持した保持枠を、姿勢調整部において円弧形状の支持面に配置した後、当該保持枠を固定ねじによって姿勢調整部に仮固定する。そして、治具や手によって保持枠の操作部を操作して、光学部品強筐体に設定された照明光軸を中心として、当該保持枠を支持面に沿って移動させることにより、偏光板の位置を調整する。この後、上記固定ねじを締め付けることによって、姿勢調整部（光学部品用筐体）に保持枠を固定する。これにより、偏光板が適切な位置に保持される。
【先行技術文献】
【特許文献】
【０００４】
【特許文献１】特開２００７−５７５９８号公報
【発明の概要】
【発明が解決しようとする課題】
【０００５】
近年、プロジェクターに対する低コスト化の要望が高まっており、当該プロジェクターの製造工程の簡略化が求められている。
これに対し、上記特許文献１に記載のプロジェクターでは、位置調整操作が行われる操作部と、固定ねじによって固定される固定部とは、保持枠において同じ側に位置する。
このような構成の場合、保持枠の位置調整後に操作部から手や治具を離すと、保持枠の固定が完了するまでの間に当該保持枠がずれやすいため、保持枠の位置調整後に操作部から治具や手を離さずに固定ねじの締付をしなければならず、当該締付が容易でなく、保持枠の固定に時間がかかるという問題がある。
このような問題から、プロジェクターの製造工程を簡略化できる構成及び方法が要望されてきた。
【０００６】
本発明は、上記課題の少なくとも一部を解決することを目的としたものであり、製造工程を簡略化できる光学装置、プロジェクター及び製造方法を提供することを目的の１つとする。
【課題を解決するための手段】
【０００７】
本発明の第１態様に係る光学装置は、光学素子と、前記光学素子を保持する保持部材と、前記保持部材が取り付けられる筐体と、を有し、前記保持部材は、当該保持部材の位置を調整する操作を受け付ける操作部と、前記筐体に固定される被固定部と、を有し、前記操作部及び前記被固定部は、前記保持部材に保持された前記光学素子の光軸に交差する方向における一端側及び他端側にそれぞれ位置することを特徴とする。
【０００８】
このような構成によれば、上記交差する方向において一端側に操作部が位置し、他端側に被固定部が位置する。これにより、筐体に保持部材を固定する際に、操作部を操作しつつ、被固定部を筐体に固定しやすくすることができる。このため、調整した位置から保持部材がずれることなく当該保持部材を筐体に固定できるので、保持部材の筐体への固定を容易に実施できる他、保持部材の筐体に対する位置を再調整する手間を省略できる。従って、光学装置の製造工程を簡略化できる。
【０００９】
上記第１態様では、前記被固定部は、孔部を有し、前記筐体は、前記孔部を挿通する突出部を有し、前記突出部は、溶融可能な材料により形成されていることが好ましい。
このような構成によれば、突出部を溶融させることによって、熱かしめにより保持部材を筐体に固定できる。従って、ねじ等の固定部材を用いて固定する場合に比べて、保持部材を筐体に容易に固定できる他、ねじの締結時に生じやすい保持部材のずれの発生を抑制できる。
【００１０】
上記第１態様では、前記孔部の内縁は、凹凸を有することが好ましい。
このような構成によれば、突出部の溶融物が凹凸に入り込むことにより、調整された位置から保持部材が変位することを確実に抑制できる。従って、保持部材を筐体に安定して固定できる。
【００１１】
上記第１態様では、前記筐体は、前記保持部材を挿通する固定部材が固定される固定部を有することが好ましい。
このような構成によれば、上記熱かしめにより保持部材を固定した後に、何らかの理由によって保持部材を筐体から取り外した場合でも、上記固定部材を用いて筐体に保持部材を固定できる。従って、保持部材及び筐体の再調整時の作業性を向上させることができる。
【００１２】
上記第１態様では、前記保持部材は、前記光学素子を支持する支持面を有する素子支持部と、前記素子支持部における前記他端側にて、前記支持面に交差する方向に延出する延出部と、を有し、前記素子支持部は、前記一端側に前記操作部を有し、前記延出部は、前記被固定部を有することが好ましい。
このような構成によれば、操作部と被固定部とを確実に離間させることができる。従って、操作部及び被固定部を同時に操作しやすくすることができる。
【００１３】
上記第１態様では、前記筐体は、前記光学素子の光軸を中心とする周方向に回動可能に前記保持部材を支持する保持部材支持部と、前記保持部材支持部から突出する突起を有し、前記保持部材は、前記周方向に沿う長径を有し、前記突起が挿入されるガイド孔を有することが好ましい。
このような構成によれば、上記突起が挿入されたガイド孔によって、保持部材を上記周方向に沿って回動させやすくすることができる。この他、保持部材の位置調整の際に、当該保持部材が他の方向（例えば光学素子の光軸に沿う方向）に移動されることを抑制できる。従って、保持部材の位置調整操作を容易に実施できる。
【００１４】
本発明の第２態様に係るプロジェクターは、上記光学装置を備えることを特徴とする。
上記第２態様によれば、上記第１態様に係る光学装置と同様の効果を奏することができる。
【００１５】
上記第２態様では、光源装置と、前記光源装置から出射された光を変調する光変調装置と、前記光源装置と前記光変調装置との間に配置される光学部品と、を備え、前記筐体は、前記光学部品を収容し、前記光学素子は、前記光変調装置の光入射側に配置される偏光素子であることが好ましい。
ここで、例えば光変調装置が液晶パネルを有する場合、当該光変調装置が変調する直線偏光以外の光が当該光変調装置に入射されると、形成される画像のコントラストが低下する。一方、偏光素子は、偏光軸の向きが適切でないと、当該偏光素子を通過した光に、光変調装置が変調する直線偏光以外の光が混じりやすくなる。
これに対し、上記構成によれば、光学素子である偏光素子を保持する保持部材は、当該偏光素子の位置を調整した後に筐体に固定されるので、当該偏光素子を、適切な位置に固定できる。従って、投射される画像のコントラストを向上させることができる。
【００１６】
本発明の第３態様に係る製造方法は、光学素子と、当該光学素子を保持する保持部材と、当該保持部材が取り付けられる筐体とを有する光学装置の製造方法であって、前記筐体に前記保持部材を配置し、前記保持部材において前記光学素子の光軸に対する交差方向の一端側に位置する操作部を操作して、前記光学素子の位置を調整し、前記筐体に設けられて前記保持部材を挿通する突出部を溶融させて、前記保持部材を前記筐体に固定することを特徴とする。
上記第３態様によれば、上記第１態様に係る光学装置と同様に、当該光学装置の製造工程を簡略化できる。また、保持部材は、筐体に熱かしめ等により固定されるので、ねじ等の固定部材を用いて固定する場合に比べて、保持部材を筐体に容易に固定できる他、ねじの締結時に生じやすい保持部材のずれ（変位）の発生を抑制できる。
【図面の簡単な説明】
【００１７】
【図１】本発明の一実施形態に係るプロジェクターの構成を示す模式図。
【図２】上記実施形態における緑用の偏光素子を保持する保持部材を示す斜視図。
【図３】上記実施形態における保持部材を示す斜視図。
【図４】上記実施形態における青用の偏光素子を保持する保持部材を示す斜視図。
【図５】上記実施形態における光学部品用筐体を示す斜視図。
【図６】上記実施形態における光学部品用筐体を示す斜視図。
【図７】上記実施形態における光学部品用筐体を示す斜視図。
【図８】上記実施形態における保持部材が固定された光学部品用筐体の一部を示す斜視図。
【図９】上記実施形態における画像投射装置の製造工程の一部を示すフローチャート。
【発明を実施するための形態】
【００１８】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、内部に設けられた光源装置３０から出射された光を変調して画像情報に応じた画像を形成し、当該画像をスクリーン等の被投射面上に拡大投射する。このプロジェクター１は、図１に示すように、外装筐体２と、当該外装筐体２内に収容される装置本体と、を備える。このようなプロジェクター１は、詳しくは後述するが、光学素子を保持する保持部材３６の固定構造に特徴の１つを有する。
【００１９】
［装置本体の構成］
装置本体は、画像投射装置３を備える。この他、装置本体は、図示を省略するが、プロジェクター１の動作を制御する制御装置、電子部品に電力を供給する電源装置、及び、冷却対象を冷却する冷却装置を備える。
【００２０】
［画像投射装置の構成］
画像投射装置３は、上記制御装置による制御の下、画像情報に応じた画像を形成及び投射する。この画像投射装置３は、設計上の光軸である照明光軸Ａｘ上の所定位置にそれぞれ配置される光源装置３０、均一化装置３１、色分離装置３２、リレー装置３３、画像形成装置３４、投射光学装置３５及び光学部品用筐体４と、を備え、全体として略Ｌ字状の光学ユニットとして構成されている。
これらのうち、光学部品用筐体４については、後に詳述する。
【００２１】
以下の説明では、光源装置３０から出射された光の進行方向を＋Ｚ方向とし、当該＋Ｚ方向に直交し、かつ、互いに直交する二方向を、＋Ｘ方向及び＋Ｙ方向とする。これらのうち、＋Ｘ方向を、後述するダイクロイックミラー３２１，３２３及び反射ミラー３３２に入射された光が反射される方向とする。また、＋Ｙ方向を、光学部品用筐体４において後述する部品収納部材５から蓋部材６に向かう方向とする。なお、＋Ｘ方向は、＋Ｙ方向側から見て、投射光学装置３５が画像を投射する方向と略一致する。
また、＋Ｚ方向とは反対方向を−Ｚ方向とする。−Ｘ方向及び−Ｙ方向も同様である。
【００２２】
［光源装置の構成］
光源装置３０は、均一化装置３１に白色の照明光を出射する。この光源装置３０は、本実施形態では、超高圧水銀ランプ等の放電光源ランプを有する。しかしながら、これに限らず、光源装置３０は、ＬＤ（Laser Diode）やＬＥＤ（Light Emitting Diode）等の固体光源と、当該固体光源から出射された光の波長を変換する波長変換装置と、を有する構成であってもよい。すなわち、光源装置３０の構成は問わない。
【００２３】
［均一化装置、色分離装置及びリレー装置の構成］
均一化装置３１は、光源装置３０から入射される照明光の中心軸に対する直交面内の照度を均一化する。この均一化装置３１は、当該照明光の入射順に、第１レンズアレイ３１１、調光装置３１２、第２レンズアレイ３１３、偏光変換素子３１４及び重畳レンズ３１５を有する。
色分離装置３２は、均一化装置３１から入射される光束を、赤（Ｒ）、緑（Ｇ）及び青（Ｂ）の３つの色光に分離する。この色分離装置３２は、それぞれ板状のダイクロイックミラー３２１，３２３及び反射ミラー３２２と、コンデンサレンズ３２４，３２５と、を有する。
リレー装置３３は、青色光及び緑色光に比べて光路が長い赤色光の光路上に設けられる。このリレー装置３３は、入射側レンズ３３１、リレーレンズ３３３及び反射ミラー３３２，３３４を有する。
【００２４】
［画像形成装置の構成］
画像形成装置３４は、色分離装置３２によって分離された各色光を画像情報に応じて変調した後、当該各色光を合成して画像光を形成する。この画像形成装置３４は、色光毎にそれぞれ設けられるフィールドレンズ３４１、入射側偏光素子３４２、光変調装置３４３及び出射側偏光素子３４４と、各光変調装置３４３によって変調された各色光を合成する１つの色合成装置３４５と、を有する。
【００２５】
フィールドレンズ３４１は、入射される色光を平行化して出射する。
入射側偏光素子３４２（赤、緑及び青用の入射側偏光素子をそれぞれ３４２Ｒ，３４２Ｇ，３４２Ｂとする）は、偏光変換素子３１４によって揃えられた偏光方向の直線偏光を透過し、他の直線偏光を遮蔽する。これら入射側偏光素子３４２は、無機偏光素子及び有機偏光素子のいずれであってもよく、ガラス等の透光性基板に偏光フィルムが貼付されたものでもよい。また、通過する色光に応じて、偏光素子の構成を異ならせてもよい。
このような入射側偏光素子３４２は、光学部品用筐体４（蓋部材６）に取り付けられる保持部材３６（図２及び図３参照）によって保持される。これら保持部材３６（３６Ａ，３６Ｂ）の構成については、後に詳述する。
なお、以下の説明においては、入射側偏光素子３４２（３４２Ｒ，３４２Ｇ，３４２Ｂ）を偏光素子３４２（３４２Ｒ，３４２Ｇ，３４２Ｂ）と略す場合がある。
光変調装置３４３（赤、緑及び青用の光変調装置をそれぞれ３４３Ｒ，３４３Ｇ，３４３Ｂとする）は、本実施形態では、液晶パネルを有する構成が採用されている。
出射側偏光素子３４４は、入射側偏光素子３４２とともに光変調装置３４３を挟む位置に配置される。このような出射側偏光素子３４４として、入射側偏光素子３４２の透過軸に対して直交する透過軸を有するものが挙げられる。なお、出射側偏光素子３４４の構成は、上記入射側偏光素子３４２と同様の構成を例示できる。
色合成装置３４５は、本実施形態ではクロスダイクロイックプリズムにより構成されているが、複数のダイクロイックミラーを組み合わせた構成としてもよい。
【００２６】
［投射光学装置の構成］
投射光学装置３５は、画像形成装置３４により形成された画像光を上記被投射面上に拡大投射する。この投射光学装置３５は、図示を省略するが、複数のレンズと、当該複数のレンズを収容する鏡筒と、を有する組レンズとして構成できる。
【００２７】
［緑用の偏光素子を保持する保持部材の構成］
図２及び図３は、保持部材３６Ａを光出射側（＋Ｘ方向側）から見た斜視図である。これらのうち、図２は、偏光素子３４２Ｇを保持した保持部材３６Ａを示し、図３は、偏光素子３４２Ｇを保持していない保持部材３６Ａを示している。
偏光素子３４２を保持する保持部材として、本実施形態では、２種類の保持部材３６（３６Ａ，３６Ｂ）が用いられている。
これらのうち、偏光素子３４２Ｇを保持する保持部材３６Ａは、図２及び図３に示すように、側面視略Ｌ字状に形成された板金部材であり、当該偏光素子３４２Ｇを保持した状態で、光学部品用筐体４（図５及び図６参照）に取り付けられる。
このような保持部材３６は、偏光素子３４２Ｇを支持する素子支持部３７と、当該素子支持部３７から延出する延出部３８と、を備える。
【００２８】
［素子支持部の構成］
素子支持部３７は、偏光素子３４２Ｇに入射される光の進行方向側（＋Ｘ方向側）から見て略正方形状の板状部分である。この素子支持部３７は、開口部３７１、保持部３７２、規制部３７３、押さえ部３７４、付勢部３７５及び操作部３７６を有する。
開口部３７１は、素子支持部３７における中央に位置し、偏光素子３４２Ｇに入射される光束が通過する開口部である。このような開口部３７１を＋Ｘ方向側から略覆い、かつ、素子支持部３７における＋Ｘ方向側の面に、偏光素子３４２Ｇの光入射側の面が当接するように、偏光素子３４２Ｇは配置される。すなわち、素子支持部３７における＋Ｘ方向側の面は、当該偏光素子３４２Ｇを支持する支持面３７Ａである。
【００２９】
保持部３７２、規制部３７３、押さえ部３７４及び付勢部３７５は、開口部３７１の周縁にそれぞれ位置している。
保持部３７２は、偏光素子３４２Ｇにおける−Ｙ方向側の端面と当接して、当該偏光素子３４２Ｇを保持する。具体的に、保持部３７２は、偏光素子３４２Ｇにおける−Ｙ方向側の端面と当接するとともに＋Ｘ方向側の端面に当接するように、先端が＋Ｙ方向側に突出する鉤状に形成されている。このような保持部３７２は、偏光素子３４２Ｇにおける＋Ｚ方向側及び−Ｚ方向側の各部位に応じてそれぞれ設けられている。
規制部３７３は、偏光素子３４２Ｇを幅方向（＋Ｚ方向）において挟む位置に設けられている。これら規制部３７３は、偏光素子３４２Ｇの＋Ｚ方向に沿う揺動を規制する。
押さえ部３７４は、開口部３７１の＋Ｙ方向側の辺縁において＋Ｚ方向側の部位に位置する。この押さえ部３７４は、偏光素子３４２Ｇの＋Ｙ方向側の端面と対向し、当該偏光素子３４２Ｇが＋Ｙ方向側に移動することを規制する。
【００３０】
付勢部３７５は、開口部３７１の＋Ｙ方向側の辺縁において−Ｚ方向側の部位に位置する。この付勢部３７５は、偏光素子３４２Ｇを−Ｙ方向側及び−Ｘ方向側に付勢する。このような付勢部３７５は、支持面３７Ａと接続される弾性部３７５１及び爪部３７５２を有する。
弾性部３７５１は、支持面３７Ａとの接続位置から＋Ｚ方向に延出した板状部分であり、＋Ｙ方向に弾性変形可能に構成されている。すなわち、弾性部３７５１は、＋Ｙ方向に沿う可撓性を有する。
【００３１】
爪部３７５２は、弾性部３７５１の延出方向先端部に設けられ、当該先端部から−Ｙ方向側に屈曲している。この爪部３７５２は、偏光素子３４２Ｇとそれぞれ対向する当接面３７５３及び傾斜面３７５４を有する。
当接面３７５３は、偏光素子３４２Ｇにおける＋Ｙ方向側の端面に当接可能である。
傾斜面３７５４は、偏光素子３４２Ｇにおける＋Ｙ方向側の端面と＋Ｘ方向側の端面との角部に当接可能である。この傾斜面３７５４は、当接面３７５３における＋Ｘ方向側の端部から＋Ｘ方向（支持面３７Ａから離れる方向）に向かうに従って−Ｙ方向側に傾斜している。
このような爪部３７５２が偏光素子３４２Ｇに当接すると、当該偏光素子３４２Ｇは、−Ｙ方向及び−Ｘ方向に付勢される。このため、偏光素子３４２Ｇは、保持部３７２側に押圧されるとともに支持面３７Ａ側に押圧される。これにより、当該偏光素子３４２Ｇは、素子支持部３７に安定して支持される。
【００３２】
操作部３７６は、保持部材３６Ａにおいて偏光素子３４２Ｇの光軸に対する交差方向（直交方向）である−Ｙ方向における一端側（−Ｙ方向側）に位置する。具体的に、操作部３７６は、素子支持部３７における−Ｙ方向側の端部に形成された切欠であり、−Ｙ方向側に向かうに従って＋Ｚ方向に沿う幅が小さくなる略台形状の空間を形成する。この操作部３７６には、画像投射装置３を製造する製造装置等の治具が−Ｙ方向側から挿入され、保持部材３６、ひいては、偏光素子３４２Ｇの位置を調整する移動操作を受け付ける。換言すると、当該治具は、操作部３７６を操作することによって、保持部材３６及び偏光素子３４２Ｇの位置を調整する。
このような治具は、操作部３７６に挿入された際に＋Ｚ方向に沿って拡幅されることにより、切欠である操作部３７６の内縁とのクリアランスが発生することを抑制する機構を有する治具を例示できる。
【００３３】
［延出部の構成］
延出部３８は、上記素子支持部３７における＋Ｙ方向側の端部から、上記支持面３７Ａと交差する方向である−Ｘ方向側にＸＺ平面に沿って延出している。この延出部３８は、光学部品用筐体４（蓋部材６）に固定される部位である被固定部３８１と、ガイド孔３８２及び孔部３８３と、を有する。
【００３４】
被固定部３８１は、保持部材３６Ａにおいて、偏光素子３４２Ｇの光軸に対する交差方向である＋Ｙ方向における一端側（−Ｙ方向における他端側）に位置する。具体的に、被固定部３８１は、延出部３８における中央に位置する。
この被固定部３８１は、＋Ｚ方向における中央部分が＋Ｙ方向側に膨出した円弧状を有する湾曲部であり、後述するガイド面６３（図６及び図７参照）に沿う形状を有する。このような被固定部３８１は、ガイド面６３と面接触し、当該ガイド面６３に沿って摺動して位置調整された後、蓋部材６に固定される部位である。
【００３５】
ガイド孔３８２は、被固定部３８１における＋Ｘ方向側の部位に、＋Ｚ方向に長径を有する矩形孔状に形成されている。この長径の方向は、保持部材３６を＋Ｘ方向側から見た際に、当該保持部材３６の移動方向に沿う方向であり、当該保持部材３６の移動方向は、偏光素子３４２の光学中心を中心とする周方向である。このようなガイド孔３８２には、後述する一対の突起６４（図６及び図７参照）が挿入される。そして、一対の突起６４のうち、一方がガイド孔３８２の＋Ｚ方向側の端縁に当接する位置と、他方がガイド孔３８２の−Ｚ方向側の端縁に当接する位置との間で、保持部材３６は回動可能となる。すなわち、ガイド孔３８２は、一対の突起６４とともに、保持部材３６の回動を案内する他、当該保持部材３６の回動範囲を規定する。
【００３６】
孔部３８３は、被固定部３８１における−Ｘ方向側の部位に、保持部材３６Ａの回動方向に沿う長径を有する長孔状に形成されている。この孔部３８３は、後述するピン６５（図６及び図７参照）が挿通する孔部である。この孔部３８３の内縁には、＋Ｙ方向側から（ピン６５が孔部３８３を挿通する方向に沿って）見て複数の凹凸３８３１が形成されている。詳述すると、当該内縁における＋Ｘ方向側、−Ｘ方向側、＋Ｚ方向側及び−Ｚ方向側の各部位に、凹凸３８３１が形成されている。
そして、詳しくは後述するが、ピン６５が溶融された場合には、当該ピン６５の溶融物６５Ａ（図８参照）が複数の凹凸３８３１の一部に入り込む他、複数の凹凸３８３１の一部を＋Ｙ方向側から覆う。これにより、保持部材３６Ａの回動が規制され、当該保持部材３６Ａが蓋部材６に固定される。
【００３７】
［青用及び赤用の偏光素子を保持する保持部材の構成］
図４は、偏光素子３４２Ｂを保持した保持部材３６Ｂを光出射側（＋Ｘ方向側）から見た斜視図である。
偏光素子３４２Ｂを保持する保持部材３６Ｂは、図４に示すように、孔部３８３に代えて孔部３８３Ｂを有する他は、保持部材３６Ａと同様の構成を有する。
ここで、上記孔部３８３は、＋Ｚ方向に沿う長径を有する長孔状に形成されていた。これに対し、孔部３８３Ｂは、後述するピン６５（図６及び図７参照）が挿通される程度の内径を有する。このため、孔部３８３Ｂをピン６５が挿通した状態では、保持部材３６Ｂは、偏光素子３４２Ｂの光軸中心を中心とする周方向への回動が規制される構成となっている。
このような孔部３８３Ｂの内縁における＋Ｘ方向側、−Ｘ方向側、＋Ｚ方向側及び−Ｚ方向側の各部位にも、凹凸３８３１が形成されている。このため、ピン６５が溶融された際には、当該ピン６５の溶融物が凹凸３８３１に入り込む他、当該凹凸３８３１を＋Ｙ方向側から覆う。これにより、保持部材３６Ｂは、蓋部材６に固定される。
なお、本実施形態では、偏光素子３４２Ｒを保持する保持部材も、保持部材３６Ｂが採用されている。
【００３８】
［光学部品用筐体の構成］
図５及び図６は、光学部品用筐体４を示す斜視図である。これらのうち、図５は、光学部品用筐体４を＋Ｘ方向側で−Ｚ方向側から見た斜視図であり、図６は、光学部品用筐体４を＋Ｘ方向側で＋Ｙ方向側から見た斜視図である。
光学部品用筐体４は、本発明の筐体に相当する。この光学部品用筐体４は、それぞれ光学部品によって構成される均一化装置３１、色分離装置３２、リレー装置３３及びフィールドレンズ３４１を、上記照明光軸Ａｘ上の所定位置に収容する。この他、光学部品用筐体４には、偏光素子３４２を保持した保持部材３６、及び、投射光学装置３５が取り付けられる。この光学部品用筐体４は、図５及び図６に示すように、部品収納部材５及び蓋部材６を備えて構成される。
【００３９】
［部品収納部材の構成］
部品収納部材５は、＋Ｙ方向側が開口した断面略Ｕ字状に形成された箱状部材である。この部品収納部材５は、上記光学部品を内部に挿入するための開口部５１を有し、当該開口部５１の一部は、蓋部材６によって閉塞される。この他、部品収納部材５は、収容部５２，５３、配置部５４、一対の取付部５５及び押さえ部５６を有する。
【００４０】
収容部５２は、部品収納部材５において−Ｚ方向側の端部に位置し、均一化装置３１を内部に収容する。
収容部５３は、＋Ｙ方向側から見て＋Ｘ方向に開口する略Ｕ字状に形成された部位である。この収容部５３は、色分離装置３２及びリレー装置３３と、各フィールドレンズ３４１とを内部に収容する。なお、部品収納部材５において蓋部材６によって覆われる部位は、収容部５３である。
配置部５４は、＋Ｙ方向側から見て略Ｕ字状に形成された収容部５３によって囲まれる部位である。この配置部５４には、画像形成装置３４を構成する光学部品のうちフィールドレンズ３４１を除いた部品が配置される。
一対の取付部５５は、部品収納部材５において＋Ｘ方向側で、上記配置部５４を＋Ｚ方向において挟む部位に位置している。この一対の取付部５５には、投射光学装置３５が取り付けられる。
【００４１】
押さえ部５６は、部品収納部材５において各フィールドレンズ３４１を通過した赤、緑及び青の各色光がそれぞれ出射される開口部５７Ｒ，５７Ｇ，５７Ｂ（図７参照）を挟む位置に、それぞれ一対設けられている。これら押さえ部５６は、蓋部材６に取り付けられた保持部材３６に対する光出射側に位置して、照明光軸Ａｘに対する直交面に対して偏光素子３４２が傾斜するように保持部材３６が配置されることを抑制する。換言すると、それぞれ一対の押さえ部５６は、開口部５７Ｒ，５７Ｇ，５７Ｂが形成された部品収納部材５の面との間に、対応する保持部材３６の配置部となる隙間ＧＰを形成する部位と言うこともできる。
【００４２】
［蓋部材の構成］
蓋部材６は、合成樹脂により形成され、上記開口部５１の一部を閉塞するように、＋Ｙ方向側から部品収納部材５に取り付けられる。この蓋部材６は、＋Ｙ方向側から見て上記収容部５３の形状に応じた略Ｕ字状に形成されている。
【００４３】
図７は、保持部材３６が取り付けられていない光学部品用筐体４を＋Ｘ方向側で＋Ｙ方向側から見た斜視図である。
このような蓋部材６は、図５〜図７に示すように、部品収納部材５と組み合わされた際に各フィールドレンズ３４１の配置位置に応じた部位に、上記保持部材３６がそれぞれ取り付けられる保持部材支持部６２を有する。これら保持部材支持部６２（赤、緑及び青用の保持部材支持部を、それぞれ６２Ｒ，６２Ｇ，６２Ｂとする）は、図６及び図７に示すように、ガイド面６３、一対の突起６４、ピン６５及びねじ孔６６を備える。この他、保持部材支持部６２Ｂ，６２Ｒは、一対のガイド部６７を備える。
【００４４】
ガイド面６３は、上記被固定部３８１と対向する部位である。このガイド面６３は、それぞれの保持部材支持部６２を光出射側から見て円弧状に形成されている。換言すると、ガイド面６３は、円柱の外周部分の一部のような形状に形成されている。
このガイド面６３の円弧の中心は、偏光素子３４２の光軸中心と略一致するように設定されている。そして、上記操作部３７６が操作された際に、被固定部３８１がガイド面６３に沿って摺動することによって、当該ガイド面６３は、偏光素子３４２及び保持部材３６が当該光軸中心を中心として周方向に回動されるように案内する。
【００４５】
一対の突起６４は、ガイド面６３からそれぞれ＋Ｙ方向に突出している。この一対の突起６４は、ガイド面６３において光出射側の位置に、当該ガイド面６３の周方向に沿って形成されている。例えば、保持部材支持部６２Ｇのガイド面６３に突設された一対の突起６４は、＋Ｚ方向に沿って並んでいる。このような一対の突起６４は、上記のように、ガイド孔３８２に挿入され、保持部材３６の回動を案内する他、当該保持部材３６の回動範囲を規定する。
【００４６】
図８は、ピン６５が溶融されて保持部材３６が固定された光学部品用筐体４の一部を示す斜視図である。なお、図８において示す光学部品用筐体４の向きは、図６及び図７と略同じである。
ピン６５は、本発明の突出部に相当し、合成樹脂等の溶融可能な材料により形成されている。このピン６５は、各ガイド面６３から＋Ｙ方向に突出し、上記孔部３８３又は孔部３８３Ｂを挿通する。このようなピン６５は、保持部材３６の位置が調整された後、赤外線照射装置（図示省略）によって赤外線が照射されつつ＋Ｙ方向側から押圧される。これにより、ピン６５の溶融物６５Ａは、図８に示すように、孔部３８３，３８３Ｂの凹凸３８３１に入り込み、当該凹凸３８３１とピン６５との隙間を埋める他、当該孔部３８３，３８３Ｂの少なくとも一部を＋Ｙ方向側から覆う。これにより、保持部材支持部６２に保持部材３６が熱かしめされて固定され、上記周方向への回動が規制される他、ピン６５の中心軸（＋Ｙ方向に沿う軸）を中心とする回動が規制される。
【００４７】
ねじ孔６６は、図６〜図８に示すように、一対の突起６４に挟まれる位置に形成されている。このねじ孔６６は、上記ガイド孔３８２を−Ｙ方向に沿って挿通した固定部材（図示省略）が取り付けられる固定部である。このような固定部材としては、ねじが例示され、当該ねじがねじ孔６６に固定されることにより、保持部材３６が保持部材支持部６２に固定される。
なお、保持部材３６が熱かしめにより固定されている限りは、ねじ孔６６は使用されない。このねじ孔６６は、何らかの理由により、保持部材３６を取り外す必要が生じ、当該保持部材３６を保持部材支持部６２に再度固定する際に用いられる。
【００４８】
一対のガイド部６７は、保持部材支持部６２Ｂ，６２Ｒのそれぞれに設けられている。この一対のガイド部６７は、ガイド面６３より光入射側（保持部材支持部６２Ｂにおける−Ｚ方向側であり、保持部材支持部６２Ｒにおける＋Ｚ方向側）に位置し、当該ガイド面６３と接続されている。そして、一対のガイド部６７は、上記被固定部３８１の端縁と当接して、保持部材３６の回動を案内する他、当該保持部材３６の光入射側への移動を規制する。なお、上記一対の突起６４によっても保持部材３６の回動は案内されることから、これら一対のガイド部６７は無くてもよい。
【００４９】
このような構成を有する光学部品用筐体４に、位置調整された保持部材３６が固定されることによって、偏光素子３４２を適切な位置に配置でき、画像投射装置３により、高いコントラストの画像を投射できる。
【００５０】
［光学装置の製造工程］
図９は、画像投射装置３の製造工程の一部を示すフローチャートである。
以下、画像投射装置３の製造工程の一部について説明する。この製造工程は、本発明の光学部品の製造方法を含むものであり、ここでいう光学装置は、光学素子としての偏光素子３４２と、当該偏光素子３４２を保持した保持部材３６と、光学部品用筐体４とを備え、当該保持部材３６が光学部品用筐体４に固定されたものである。
この製造工程では、図９に示すように、まず、光学部品用筐体４（蓋部材６）の上記保持部材支持部６２（６２Ｒ，６２Ｇ，６２Ｂ）のうち、位置調整の要求が高い偏光素子３４２を保持した保持部材３６Ａを配置する（ステップＳ１）。上記の例では、人間に視認されやすく、また、放電光源ランプからの出射光量が多い緑色光用の偏光素子３４２Ｇを、位置調整の要求が高い偏光板として、当該偏光素子３４２を保持した保持部材３６Ａを、保持部材支持部６２Ｇに配置する。この際、位置調整の要求が低い偏光素子３４２（例えば偏光素子３４２Ｂ，３４２Ｒ）を保持した保持部材３６Ｂを、対応する保持部材支持部６２に配置してもよい。
【００５１】
次に、−Ｙ方向側から操作部３７６に治具を挿入する等して、当該操作部３７６を操作し、偏光素子３４２の光軸中心を中心として周方向に保持部材３６Ａを回動させて、偏光素子３４２及び保持部材３６Ａの位置調整を行う（ステップＳ２）。この位置調整では、例えば、偏光素子３４２の通過光量を計測しつつ、上記回動範囲の一端から他端まで保持部材３６を回動させ、当該通過光量のピークに基づいて、偏光素子３４２の配置位置を決定する。そして、決定された配置位置に偏光素子３４２が位置するように、保持部材３６Ａを再度回動させる。
【００５２】
そして、上記ステップＳ２にて位置が調整された保持部材３６Ａの孔部３８３を挿通するピン６５（突出部）に対して＋Ｙ方向側から赤外線照射装置（図示省略）によって赤外線を照射しつつ、当該ピン６５を＋Ｙ方向側から押圧して溶融させ、当該保持部材３６Ａを熱かしめによって保持部材支持部６２に固定する（ステップＳ３）。この保持部材３６Ａが固定されるまで、上記治具や手は、操作部３７６から外されない。これにより、保持部材３６Ａの固定が完了される前に、当該保持部材３６Ａがずれることが抑制される。
なお、当該ステップＳ３では、他の保持部材３６Ｂが、対応する保持部材支持部６２に配置されている場合には、当該保持部材３６Ｂの孔部３８３Ｂを挿通したピン６５を溶融させて、当該保持部材３６Ｂを熱かしめにより固定してもよい。
このようにして、保持部材３６、ひいては、偏光素子３４２が光学部品用筐体４（蓋部材６）に固定される。
【００５３】
［実施形態の効果］
以上説明した本実施形態に係るプロジェクター１及び上記製造方法によれば、以下の効果を奏することができる。
保持部材３６Ａにおいて、操作部３７６は、当該保持部材３６Ａによって保持された偏光素子３４２Ｇの光軸に対する交差方向である−Ｙ方向における一端側（−Ｙ方向側）に位置し、被固定部３８１は、他端側（＋Ｙ方向側）に位置する。これにより、光学部品用筐体４に保持部材３６Ａを固定する際に、操作部３７６を治具等によって操作しつつ、被固定部３８１を光学部品用筐体４に固定できる。このため、調整した位置からずれることなく保持部材３６Ａを光学部品用筐体４に固定できるので、当該保持部材３６Ａの光学部品用筐体４への固定を容易に実施できる他、ねじによる固定の際に発生しやすい位置ずれを防止でき、保持部材３６Ａの光学部品用筐体４に対する位置を再調整する手間を省略できる。従って、保持部材３６Ａ及び光学部品用筐体４を有する光学装置、ひいては、画像投射装置３の製造工程を簡略化できる。
【００５４】
保持部材３６Ａにおける被固定部３８１は、当該保持部材３６Ａの回動方向に長径を有する長孔状に形成された孔部３８３を有し、蓋部材６は、当該孔部３８３を挿通する突出部としてのピン６５を有する。このピン６５は、溶融可能な材料により形成されている。これによれば、ピン６５が孔部３８３を挿通した状態にて、当該ピン６５を溶融させることによって、保持部材３６Ａを蓋部材６に熱かしめにより固定できる。従って、ねじ等の固定部材を用いて固定する場合に比べて、保持部材３６Ａを光学部品用筐体４に容易に固定できる他、ねじの締結による保持部材３６Ａの変位を抑制できる。
なお、保持部材３６Ｂも、ピン６５が挿通する孔部３８３Ｂを有するので、当該保持部材３６Ｂの光学部品用筐体４に対する固定も容易に実施できる。
【００５５】
孔部３８３は、凹凸３８３１を内縁に有する。これによれば、ピン６５の溶融物６５Ａが凹凸３８３１に入り込むことによって、調整された位置から保持部材３６Ａが変位することを確実に抑制できる。従って、保持部材３６Ａを光学部品用筐体４に安定して固定できる。なお、保持部材３６Ｂについても同様である。
【００５６】
光学部品用筐体４の蓋部材６は、ガイド孔３８２を挿通するねじ等の固定部材が固定される固定部としてのねじ孔６６を有する。これによれば、何らかの理由によって保持部材３６Ａを取り外した場合でも、保持部材３６Ａを蓋部材６に再度固定できる。従って、保持部材及び光学部品用筐体４の再調整時の作業性を向上させることができる。保持部材３６Ｂについても同様である。
【００５７】
保持部材３６Ａは、光学素子としての偏光素子３４２Ｇを支持する支持面３７Ａを有する素子支持部３７と、当該素子支持部３７における＋Ｙ方向側の端部にて支持面３７Ａに交差する方向に延出する延出部３８と、を有する。これらのうち、素子支持部３７は、−Ｙ方向側の端部に上記操作部３７６を有し、延出部３８は、上記被固定部３８１を有する。これによれば、操作部３７６と被固定部３８１とを確実に離間させることができる。従って、操作用の治具及び固定用の治具によって、これら操作部３７６及び被固定部３８１に対する操作を同時に実施しやすくすることができる。
【００５８】
光学部品用筐体４は、偏光素子３４２の光軸を中心とする周方向に回動可能に保持部材３６Ａを支持する保持部材支持部６２と、当該保持部材支持部６２から突出する一対の突起６４を有する。また、保持部材３６Ａは、当該周方向に沿う長径を有し、当該一対の突起６４が挿入されるガイド孔３８２を有する。これによれば、保持部材３６Ａを上記周方向に沿って回動させやすくすることができる。この他、保持部材３６Ａが他の方向（例えば偏光素子３４２の光軸に沿う方向）に移動されることを抑制できる。従って、保持部材３６Ａの位置調整操作を容易に実施できる。
【００５９】
プロジェクター１は、光源装置３０及び光変調装置３４３と、これら光源装置３０及び光変調装置３４３の間に配置される光学部品である均一化装置３１、色分離装置３２、リレー装置３３及びフィールドレンズ３４１と、を備える。そして、光学部品用筐体４は、これら光学部品を収容する。また、保持部材３６Ａに保持される光学素子は、光変調装置３４３の光入射側に配置される入射側偏光素子３４２である。
これによれば、偏光素子３４２を保持する保持部材３６Ａは、当該偏光素子３４２の位置を調整した後に光学部品用筐体４に固定されるので、当該偏光素子３４２を、適切な位置に固定できる。従って、投射される画像のコントラストを向上させることができる。
【００６０】
偏光素子３４２、当該偏光素子３４２を保持する保持部材３６Ａと、当該保持部材３６Ａが固定される光学部品用筐体４とを有する光学装置は、上記した工程を含む製造工程により製造される。これによれば、当該光学装置の製造工程を簡略化でき、ひいては、画像投射装置３の製造工程を簡略化できる。また、保持部材３６Ａは、操作部３６７にて把持されつつ、光学部品用筐体４に熱かしめ等により固定されるので、ねじ等の固定部材を用いて固定する場合に比べて、保持部材３６Ａを当該筐体４に容易に固定できる他、ねじの締付時に生じやすい保持部材３６Ａの変位の発生を抑制できる。
【００６１】
［実施形態の変形］
本発明は、上記実施形態に限定されるものではなく、本発明の目的を達成できる範囲での変形、改良等は本発明に含まれるものである。
上記実施形態では、保持部材３６（３６Ａ，３６Ｂ）は、光学素子として入射側偏光素子３４２を保持するとした。しかしながら、これに限らず、光学素子は、他の特性を有するものであってもよい。例えば、光変調装置３４３の光入射側又は光出射側に光学補償素子が配置される場合には、当該光学補償素子を保持部材３６が保持する構成としてもよい。また、保持部材３６が保持する偏光素子は、入射側偏光素子に限らず、他の部位に位置する偏光素子であってもよい。
【００６２】
上記実施形態では、偏光素子３４２Ｇを保持部材３６Ａが保持し、光学部品用筐体４に対する保持部材３６Ａの位置を調整することによって、偏光素子３４２Ｇの位置を調整した。一方、偏光素子３４２Ｂ，３４２Ｒは、光学部品用筐体４に対する移動（上記周方向に沿う移動）が規制される保持部材３６Ｂによって保持され、当該光学部品用筐体４に固定されるとした。しかしながら、これに限らず、偏光素子３４２Ｂ，３４２Ｒに対する位置調整の要求が高い場合には、これら偏光素子３４２Ｂ，３４２Ｒを保持する保持部材として保持部材３６Ａを採用し、上記のように位置調整を実施してもよい。このような場合でも、蓋部材６には、保持部材支持部６２Ｇと同様の構成を有する保持部材支持部６２Ｂ，６２Ｒが設けられているので、偏光素子３４２Ｇを保持する保持部材３６Ａと同様に、偏光素子３４２Ｂ，３４２Ｒを保持する保持部材３６Ａの位置を調整した後、光学部品用筐体４（蓋部材６）に固定できる。
【００６３】
上記実施形態では、保持部材３６Ａは、光学素子である偏光素子３４２に入射される光の進行方向（偏光素子３４２Ｇを保持する保持部材３６Ａにおいては＋Ｘ方向）に対する交差方向である−Ｙ方向における一端側（−Ｙ方向側）に操作部３７６を有し、他端側（＋Ｙ方向側）に被固定部３８１を有するとした。しかしながら、これら被固定部３８１及び操作部３７６の位置を規定する方向は、保持部材３６Ａの配置や構成によって変わることは言うまでもない。すなわち、当該方向は、−Ｙ方向に沿う方向でなくてもよい。
【００６４】
上記実施形態では、蓋部材６は、突出部としてのピン６５を有し、保持部材３６Ａ，３６Ｂは、当該ピン６５が挿通する孔部３８３，３８３Ｂを有するとした。しかしながら、これに限らず、蓋部材６が孔部を有し、保持部材がピンを有する構成としてもよい。更に、ピンは、溶融可能な材料により形成されていなくてもよく、突出部は、孔部を挿通可能であればピンでなくてもよい。すなわち、保持部材は、熱かしめによって筐体に固定される構成に限定されず、他の固定方法（例えば、ねじ等の固定部材を用いた固定）によって筐体に固定されてもよい。
【００６５】
上記実施形態では、孔部３８３，３８３Ｂの内縁には凹凸３８３１が形成されているとした。この凹凸３８３１の形状は、円弧状でなくてもよく、鋸歯状等の他の形状であってもよい。すなわち、溶融物６５Ａによって保持部材３６Ａ，３６Ｂの上記周方向に沿う移動が規制されれば、凹凸３８３１の形状は問わない。また、光学部品用筐体４に対する保持部材３６Ａ，３６Ｂの固定を適切に実施可能であれば、当該凹凸３８３１は無くてもよい。
【００６６】
上記実施形態では、光学部品用筐体４（蓋部材６）は、保持部材３６Ａ，３６Ｂが固定部材としてのねじによって固定されるねじ孔６６を固定部として有するとした。しかしながら、これに限らず、ねじ孔６６は無くてもよい。また、筐体としての光学部品用筐体に保持部材を固定部材によって固定可能であれば、固定部の構成は他の構成でもよく、固定部材もねじに限らない。
また、光学部品用筐体４は、部品収納部材５と、上記開口部５１の一部を閉塞するように当該部品収納部材５に取り付けられる蓋部材６と、を有する構成とした。しかしながら、これに限らず、筐体としての光学部品用筐体の構成及び形状は問わない。例えば、部品収納部材５に保持部材３６が取付可能であれば、蓋部材６は無くてもよい。すなわち、光学部品用筐体における保持部材の取付位置は、適宜変更可能である。
【００６７】
上記実施形態では、保持部材３６Ａ，３６Ｂは、素子支持部３７と、当該素子支持部３７における＋Ｙ方向側の端部から支持面３７Ａに交差する方向に延出する延出部３８と、を有するとした。そして、操作部３７６は、当該素子支持部３７における−Ｙ方向側の端部に位置し、被固定部３８１は、＋Ｙ方向側に位置する延出部３８に配置されるとした。しかしながら、これに限らず、素子支持部における＋Ｙ方向側の端部に被固定部が位置していてもよい。更に、これら操作部及び被固定部は、保持部材において光学素子に入射される光の進行方向に交差する方向における一端側及び他端側に位置していればよく、これら操作部及び被固定部の位置は、保持部材の端部でなくてもよい。
【００６８】
上記実施形態では、操作部３７６は、略台形状を有する切欠として構成され、被固定部３８１は、光出射側から見て円弧状に形成されているとした。しかしながら、これに限らず、操作部３７６及び被固定部３８１の形状及び構成は、他の構成でもよい。例えば、操作部３７６は、治具と係合可能であれば、略矩形状の切欠でも、略円形状の孔でもよい。また例えば、保持部材３６Ａの被固定部３８１は、当該保持部材３６Ａの回動を規制しなければ平板状でもよい。保持部材３６Ｂは、位置調整がされないので、当該保持部材３５Ｂの操作部３７６は無くてもよく、当該保持部材３５Ｂの被固定部３８１の形状は、どのような形状でもよい。
【００６９】
上記実施形態では、保持部材支持部６２は、一対の突起６４を有し、保持部材３６Ａ，３６Ｂは、当該一対の突起６４が挿入されるガイド孔３８２を有するとした。しかしながら、これに限らず、一対の突起６４及びガイド孔３８２は無くてもよく、また、突起６４が設けられる場合でも、当該突起６４は、少なくとも１つあればよい。
【００７０】
上記実施形態では、プロジェクター１は、それぞれ液晶パネルを有する３つの光変調装置３４３（３４３Ｂ，３４３Ｇ，３４３Ｒ）を備えるとした。しかしながら、これに限らず、２つ以下、或いは、４つ以上の光変調装置を備えたプロジェクターにも、本発明を適用可能である。
上記実施形態では、画像投射装置３は、図１に示した略Ｌ字状に構成されていた。しかしながら、これに限らず、略Ｕ字状等の他のレイアウトに構成されていてもよい。また、画像投射装置３に採用される光学部品は、上記に限らず、適宜変更可能である。
【００７１】
上記実施形態では、光変調装置３４３は、光入射面と光出射面とが異なる透過型の液晶パネルを有するとした。しかしながら、これに限らず、光変調装置３４３は、光入射面と光出射面とが同一となる反射型の液晶パネルを有していてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【００７２】
１…プロジェクター、３０…光源装置、３１…均一化装置（光学部品）、３２…色分離装置（光学部品）、３３…リレー装置（光学部品）、３４１…フィールドレンズ（光学部品）、３４２（３４２Ｂ，３４２Ｇ，３４２Ｒ）…入射側偏光素子（光学素子、偏光素子、光学装置）、３４３（３４３Ｂ，３４３Ｇ，３４３Ｒ）…光変調装置、３６Ａ…保持部材（光学装置）、３７…支持部（素子支持部）、３７Ａ…支持面、３７６…操作部、３８…延出部、３８１…被固定部、３８２…ガイド孔、３８３…孔部、３８３１…凹凸、４…光学部品用筐体（筐体、光学装置）、５…部品収納部材、５１…開口部、５２，５３…収容部、５４…配置部、５５…取付部、５６…押さえ部、６…蓋部材、６２（６２Ｂ，６２Ｇ，６２Ｒ）…保持部材支持部、６４…突起、６５…ピン（突出部）、６６…ねじ孔（固定部）。
【図１】
2018151461.tif 000003
【図２】
2018151461.tif 000004
【図３】
2018151461.tif 000005
【図４】
2018151461.tif 000006
【図５】
2018151461.tif 000007
【図６】
2018151461.tif 000008
【図７】
2018151461.tif 000009
【図８】
2018151461.tif 000010
【図９】
2018151461.tif 000011